(57)【要約】【課題】食品をデジタルカメラで撮影することで、摂取カロリーや含有成分を容易かつ正確で、リアルタイムでわかりやすく管理、記録する。【解決手段】食品を提供する食堂などにおいて、各メニューの皿に当該食品のカロリーや含有成分および含有成分量、アレルギー成分など、食品の栄養分に関する含有データの入った無線タグ２を付けておく。食品の提供を受けるデジタルカメラ１０のユーザは、各食品をデジタルカメラ１０で撮影すると同時に、無線タグ送受信部１２１によって含有データを受信し、画像とともに記録する。【選択図】  図３
2008219805.tif 000002
【特許請求の範囲】
【請求項１】
食品を被写体とした画像情報を取得する撮影部と、
前記食品の近傍に配置された情報発信装置から、前記撮影部が画像情報を取得した食品の成分情報を取得する成分情報取得部と、
前記撮影部の撮影した食品の画像情報と前記成分情報取得部の取得した食品の成分情報とを対応づけて表示する表示部と、
を備える撮影装置。
【請求項２】
食品および前記食品の近傍に配置された平面的な印刷パターンを被写体とした画像情報を取得する撮影部と、
前記撮影部が画像情報を取得した食品の近傍に配置された平面的な印刷パターンから、前記撮影部が画像情報を取得した食品の成分情報を取得する成分情報取得部と、
前記撮影部の撮影した食品の画像情報と前記成分情報取得部の取得した食品の成分情報とを対応づけて表示する表示部と、
を備える撮影装置。
【請求項３】
食品の含有成分ごとの規定量を記憶する規定量記憶部と、
前記規定量記憶部に記憶された食品の含有成分ごとの規定量と前記成分情報取得部の取得した食品の成分情報に含まれる成分含有量とを比較することで、警告を発するべきか否かを判定する判定部と、
前記判定部が前記警告を発するべきと判定したことに応じ、前記警告を行う警告部と、
をさらに備える請求項１または２に記載の撮影装置。
【請求項４】
前記規定量記憶部は、食品の含有成分ごとの所定の期間内の積算規定量を記憶し、
前記成分情報取得部が前記所定の期間内に取得した成分含有量の集計値を算出する集計部をさらに備え、
前記判定部は、前記規定量記憶部に記憶された食品の含有成分ごとの前記所定の期間内の積算規定量と前記集計部が算出した前記所定の期間内の食品の成分含有量の集計値とを比較することで、警告を発するべきか否かを判定する請求項３に記載の撮影装置。
【請求項５】
食品の含有成分ごとの規定量の設定入力を受け付ける規定量入力部をさらに備え、
前記規定量記憶部は、前記規定量入力部が受け付けた食品の含有成分ごとの規定量を記憶する請求項３または４に記載の撮影装置。
【請求項６】
前記規定量入力部は、食品の禁止含有成分の設定入力を受け付け、
前記規定量記憶部は、前記規定量入力部が受け付けた食品の禁止含有成分を記憶し、
前記判定部は、前記規定量記憶部に記憶された食品の禁止含有成分と前記成分情報取得部の取得した食品の成分情報に含まれる成分含有量とを比較することで、警告を発するべきか否かを判定する請求項５に記載の撮影装置。
【請求項７】
食品の含有成分ごとの前記所定の期間の積算規定量の設定入力を受け付ける積算規定量入力部をさらに備え、
前記規定量記憶部は、前記積算規定量入力部が受け付けた食品の含有成分ごとの所定の期間の積算規定量を記憶する請求項４に記載の撮影装置。
【請求項８】
前記撮影部の撮影した食品の画像情報と前記成分情報取得部の取得した成分情報とを対応づけて記録する記録部をさらに備える請求項１〜７のいずれかに記載の撮影装置。
【請求項９】
前記表示部は、前記記録部に記録された食品の画像情報の再生指示に応じ、前記食品の画像情報と成分情報とを対応づけて表示する請求項８に記載の撮影装置。
【請求項１０】
前記表示部は、前記集計部の集計した食品の含有成分ごとの所定の期間内の含有量の集計値を表示する請求項４に記載の撮影装置。
【請求項１１】
食品を被写体とした画像情報を取得するステップと、
前記食品の近傍に配置された情報発信装置から、前記画像情報を取得した食品の成分情報を取得するステップと、
前記食品の画像情報と前記食品の成分情報とを対応づけて表示するステップと、
を含む撮影方法。
【発明の詳細な説明】
【技術分野】
【０００１】
本発明は、撮影装置を用いた食品の含有成分の表示・記録・管理に関する。
【背景技術】
【０００２】
特許文献１によると、通信ネットワークを介して、食べる前と食べ残しの後の食品をデジタルカメラにより撮影した摂取食品画像情報を内部メモリに登録し、カロリー情報管理装置に送信するための摂取食品画像送信手段と、運動量を計測したカロリーメーターにより消費カロリー情報を内部メモリに登録し、カロリー情報管理装置に送信するための消費カロリー送信手段と、利用者端末装置からの摂取食品画像情報を受信するための摂取食品画像受信手段と、利用者端末装置からの消費カロリー情報を受信するための消費カロリー受信手段と、利用者の食べる前と食べ残しの後の摂取食品画像情報を検索して、摂取した食品に含まれる摂取栄養価情報を登録するための摂取栄養価登録手段を備えることを特徴とする。
【０００３】
特許文献２によると、食事の終了後、各人の食膳をつぎつぎと撮像装置内に収納することにより、デジタルカメラによって自動的に上方から食膳Ａが撮影される。食膳の画像から食器Bの部分だけが抽出される。食器について、食器データベースから食器に関する情報が取得され、食器の種類等が特定される。さらに、各食器B上に残っている食物がそれぞれ抽出される。そして、各食物の残量の面積が算出される。最後に、各食器上の食前の食物の面積と食後に残っている食物の面積とが比較され、両者の面積の差から摂取された食物のカロリー、及び栄養素が算出される。
【０００４】
特許文献３によると、撮影して得られる画像データをメモリに保存する通常モードの他に、認識モードが選択可能にされている。認識モードでは、花や野菜等の正面と側面とをそれぞれ撮影する。認識回路は、正面を撮影した正面画像データと側面を撮影した側面画像データを用いて、撮影した物体の正面側及び側面側の形状，サイズ，正面側の色の構成、配列からなる特徴情報をデータベースＲＯＭ上のデータベースの参照情報と照合し、合致する物体の名称を特定する。特定された物体の名称とそれの関連情報がデータベースから読み出され、撮影した画像とともにＬＣＤに表示される。
【０００５】
特許文献４によると、居住域において、日常生活で使用する器具に取り付けられた居住者の健康状態を測定するための第１センサと、居住者の食生活を管理するための第２センサと、第１及び第２センサにより測定及び撮影されるデータを記憶し適宜送信する送信手段と、データを受信し、所定の基準値と比較して居住者の健康状態が良好であるか否かと、食生活の面から居住者の健康が維持できるか否か、との少なくとも一方を判断する判断手段と、判断手段により判断された結果に対処する対処手段と、を具備している。
【特許文献１】特開２００２−２３６７５５号公報
【特許文献２】特開２００５−７０９０８号公報
【特許文献３】特開２００２−２４７４３６号公報
【特許文献４】特開２００４−１５４２６１号公報
【発明の開示】
【発明が解決しようとする課題】
【０００６】
近年、メタボリックシンドロームや食品アレルギーなどの問題から健康への関心が高まり、食品のカロリーや含有成分について一般の人も注意を払うようになってきたが、容易かつ正確に栄養成分をチェックすることができなかった。
【０００７】
本発明では、食品をデジタルカメラで撮影することで、摂取カロリーや含有成分を容易かつ正確で、リアルタイムでわかりやすく管理、記録することを目的とする。
【課題を解決するための手段】
【０００８】
本発明に係る撮影装置は、食品を被写体とした画像情報を取得する撮影部と、食品の近傍に配置された情報発信装置から、撮影部が画像情報を取得した食品の成分情報を取得する成分情報取得部と、撮影部の撮影した食品の画像情報と成分情報取得部の取得した食品の成分情報とを対応づけて表示する表示部と、を備える。
【０００９】
本発明に係る撮影装置は、食品および食品の近傍に配置された平面的な印刷パターンを被写体とした画像情報を取得する撮影部と、撮影部が画像情報を取得した食品の近傍に配置された平面的な印刷パターンから、撮影部が画像情報を取得した食品の成分情報を取得する成分情報取得部と、撮影部の撮影した食品の画像情報と成分情報取得部の取得した食品の成分情報とを対応づけて表示する表示部と、を備える。
【００１０】
食品の画像情報とともに該食品の成分情報を表示するから、食品に関する情報が容易かつ正確に把握できる。
【００１１】
食品の含有成分ごとの規定量を記憶する規定量記憶部と、規定量記憶部に記憶された食品の含有成分ごとの規定量と成分情報取得部の取得した食品の成分情報に含まれる成分含有量とを比較することで、警告を発するべきか否かを判定する判定部と、判定部が警告を発するべきと判定したことに応じ、警告を行う警告部と、をさらに備えてもよい。
【００１２】
ユーザは、警告に応じて、過剰な栄養成分の摂取を未然に防ぐことができる。
【００１３】
規定量記憶部は、食品の含有成分ごとの所定の期間内の積算規定量を記憶し、成分情報取得部が所定の期間内に取得した成分含有量の集計値を算出する集計部をさらに備え、判定部は、規定量記憶部に記憶された食品の含有成分ごとの所定の期間内の積算規定量と集計部が算出した所定の期間内の食品の成分含有量の集計値とを比較することで、警告を発するべきか否かを判定するとよい。
【００１４】
ユーザは、警告に応じて、所定期間内に過剰な栄養成分摂取をしたか否かを知ることができる。
【００１５】
食品の含有成分ごとの規定量の設定入力を受け付ける規定量入力部をさらに備え、規定量記憶部は、規定量入力部が受け付けた食品の含有成分ごとの規定量を記憶するとよい。
【００１６】
こうすると、個人の体質に応じて正確な警告を発することができる。
【００１７】
規定量入力部は、食品の禁止含有成分の設定入力を受け付け、規定量記憶部は、規定量入力部が受け付けた食品の禁止含有成分を記憶し、判定部は、規定量記憶部に記憶された食品の禁止含有成分と成分情報取得部の取得した食品の成分情報に含まれる成分含有量とを比較することで、警告を発するべきか否かを判定するとよい。
【００１８】
こうすると、アレルゲンなどの摂取が禁止される成分を含んだ食品の摂取を未然に防ぐことができる。
【００１９】
食品の含有成分ごとの所定の期間の積算規定量の設定入力を受け付ける積算規定量入力部をさらに備え、規定量記憶部は、積算規定量入力部が受け付けた食品の含有成分ごとの所定の期間の積算規定量を記憶するとよい。
【００２０】
こうすると、個人の体質に応じて正確な警告を発することができる。
【００２１】
撮影部の撮影した食品の画像情報と成分情報取得部の取得した成分情報とを対応づけて記録する記録部をさらに備えるとよい。
【００２２】
表示部は、記録部に記録された食品の画像情報の再生指示に応じ、食品の画像情報と成分情報とを対応づけて表示するとよい。
【００２３】
こうすると、過去に摂取した食品と成分情報が一目瞭然で把握できる。
【００２４】
表示部は、集計部の集計した食品の含有成分ごとの所定の期間内の含有量の集計値を表示するとよい。
【００２５】
こうすると、過去の一定期間に摂取した成分量が一目瞭然で把握できる。
【００２６】
本発明に係る撮影方法は、食品を被写体とした画像情報を取得するステップと、食品の近傍に配置された情報発信装置から、画像情報を取得した食品の成分情報を取得するステップと、食品の画像情報と食品の成分情報とを対応づけて表示するステップと、を含む。
【発明の効果】
【００２７】
本発明によると、食品の画像情報とともに該食品の成分情報を表示するから、食品に関する情報が容易かつ正確に把握できる。
【発明を実施するための最良の形態】
【００２８】
＜第１実施形態＞
図１はデジタルカメラ１０の機能ブロック図である。同図において、中央処理装置（ＣＰＵ）１１２は、半押し状態Ｓ１および全押し状態Ｓ２でオンとなる２段スイッチ１０２ａ・１０２ｂからなるシャッタボタン１０２、操作スイッチ１０６等の各種のボタンやキーからの入力に基づいてデジタルカメラ１０内の各回路を統括制御する。
【００２９】
いま、操作スイッチ１０６によって撮影モードが設定されると、ＣＰＵ１１２は、画像表示装置１１０に動画（スルー画）を表示させ、撮影画角を確認可能にする。即ち、絞り１１６及び撮影レンズ１１８を通過した被写体光は、撮像素子（ＣＣＤ）１２０の受光面上に結像する。ＣＣＤ１２０は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００３０】
ＣＣＤ１２０から出力された信号はアナログ処理部（ＣＤＳ／ＡＭＰ）１２２に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００３１】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００３２】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００３３】
撮影画像を画像表示装置１１０にモニタ出力する場合、ＶＲＡＭ１３２からＹＣ信号が読み出され、ビデオエンコーダ１３４に送られる。ビデオエンコーダ１３４は、ＬＣＤコントローラ６８により、入力されたＹＣ信号を所定方式の映像信号（例えば、ＮＴＳＣ方式のカラー複合映像信号）に変換した上で、当該映像信号を画像表示装置１１０に出力する。
【００３４】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が画像表示装置１１０に供給されることにより、撮像中の映像がリアルタイムに画像表示装置１１０に表示される。ユーザは、画像表示装置１１０に表示される映像（スルー）によって撮影画角を確認できる。
【００３５】
また、ユーザは、操作スイッチ１０６への入力操作によりモータドライバ１４３を駆動して撮影レンズ１１８をテレ側またはワイド側に移動することで、ズーム調節を行うことができる。撮影レンズ１１８のズーム位置は、ズームエンコーダ１５０によって識別される。
【００３６】
ここで、シャッタボタン１０２を半押し（スイッチ１０２ａがオン）すると、ＡＥ及びＡＦ処理が開始される。即ち、ＣＣＤ１２０から出力された画像信号はＡ／Ｄ変換後に画像入力コントローラ１２６を介してＡＦ検出回路１３６並びにＡＥ／ＡＷＢ検出回路１３８に入力される。
【００３７】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２０の電子シャッタを制御するとともに、モータドライバ１４０を介して絞り１１６を制御して適正な露光量を得る。
【００３８】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００３９】
また、ＡＦ制御は、例えば画像信号のＧ信号の高周波成分が極大になるように撮影レンズ１１８を移動させるコントラストＡＦが適用される。即ち、ＡＦ検出回路１３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４０】
ＡＦ検出回路１３６で求めた積算値のデータはＣＰＵ１１２に通知される。ＣＰＵ１１２は、モータドライバ１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１１８を移動させるようにモータドライバ１４２を制御する。尚、ＡＦ評価値の演算はＧ信号を利用する態様に限らず、輝度信号（Ｙ信号）を利用してもよい。
【００４１】
上記ＡＥ／ＡＦ処理が行われ、シャッタボタン１０２が全押し（スイッチ１０２ｂがオン）されることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００４２】
メモリ１２８に格納されたＹ／Ｃ信号は、圧縮伸長処理回路１４４によって所定のフォーマットに従って圧縮された後、メディアコントローラ１４６を介して可搬性の記録メディア４０にExif（Exchangeable Image File Format）ファイルとして記録される。画像はExifファイルのデータ部分に記録される。
【００４３】
操作スイッチ１０６によって動画記録モードが設定されたときには、シャッタボタン１０２の全押し操作の連動によって録画動作がスタートし、もう一度シャッタボタン１０２を押下すると録画動作が停止する。シャッタボタン１０２を押下継続している期間、録画動作を行い、押下解除によって録画を停止するようにしてもよい。動画データは、例えばモーションＪＰＥＧ（ＭＰＥＧ）形式によって記録メディア４０に記録される。マイク１０３から集音された音声は、動画と同期して記録される。
【００４４】
操作スイッチ１０６により再生モードが選択されると、記録メディア４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これを画像表示装置１１０に出力する。これにより、画像表示装置１１０には記録メディア４０に記録されている最終コマのコマ画像が表示される。
【００４５】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記録メディア４０から読み出され、上記と同様にしてコマ画像が画像表示装置１１０に再生される。尚、最終コマのコマ画像が表示されている状態で順方向にコマ送りされると、記録メディア４０に記録されている１コマ目の画像ファイルが読み出され、１コマ目のコマ画像が画像表示装置１１０に再生される。
【００４６】
画像表示装置１１０に動画を再生する場合、動画に同期して記録された音声がスピーカ１０４から再生される。
【００４７】
デジタルカメラ１０は、記録内容の書き換えが可能な内蔵型のＥＥＰＲＯＭ１４９を備えている。ＥＥＰＲＯＭ１４９には、ＣＰＵ１１２の実行する処理プログラムや各種パラメータが記憶されている。時計５０は、現在時刻をＣＰＵ１１２に出力する回路である。
【００４８】
無線タグ送受信部１７０は、無線タグ２から送信された無線信号を受信してこれを検知する。
【００４９】
図２はデジタルカメラ１０の正面図である。デジタルカメラ１０のカメラボディには撮影レンズ１１８の前方に指向性を有するアンテナを備えた無線タグ送受信部１７０が設けられており、食品皿の裏面あるいは食品皿を載置するトレイなどに取り付けられた１又は複数の無線タグ２から送信された無線信号を受信してこれを検知する。
【００５０】
なお、デジタルカメラ１０は図示のような形状を必ずしも採用しなくてもよい。例えば、カメラ付き携帯電話に備えられた撮影レンズ１１８の前方に指向性を有するアンテナを備えた無線タグ送受信部１７０が設けられてもよい。
【００５１】
図３のように、ざるそばなどの食品を提供する食堂などにおいて、各メニューの皿に当該食品のカロリーや含有成分および含有成分量、アレルギー成分など、食品の栄養分に関する含有データの入った無線タグ２を付けておく。食品の提供を受けるデジタルカメラ１０のユーザは、各食品をデジタルカメラ１０で撮影すると同時に、無線タグ送受信部１７０によって含有データを受信し、画像とともに記録することができる。
【００５２】
無線タグ送受信部１７０が撮影レンズ１１８後方の無線タグ２からの無線信号を受信しないように、無線タグ送受信部１７０のレンズ１４後方側に電磁シールドフィルムなどを貼付するなどして、撮影画角と無線信号の指向性を一致させるようにしてもよい。
【００５３】
無線タグ送受信部１７０は、受信した無線信号からタグ情報を復元してＣＰＵ１１２に出力する。
【００５４】
ＣＰＵ１１２は、無線タグ送受信部１７０の出力したタグ情報から、含有データを抽出し、メモリ１２８に格納する。この含有データは、画像に対応づけられて表示されたり記録されたりする。
【００５５】
図４は、含有データと画像とが対応づけて記録メディア４０に記録される様子を例示する。記録メディア４０に記録された画像ファイルのヘッダ領域および画像データ本体格納領域には、それぞれ、含有データおよび画像データ本体が格納され、これにより両者を対応づけることができる。
【００５６】
図５は、含有データと画像とが対応づけて画像表示装置１１０に表示される様子を例示する。含有データは、特定の食品を被写体とした撮影画像の上にオーバーレイ表示される。こうすると、撮影された食品のカロリー、含有成分、成分ごとの含有量、アレルギー成分などが視覚的に認識できる。
【００５７】
図６はデジタルカメラ１０の実行する撮影処理の流れを示す。
【００５８】
Ｓ１では、シャッタボタン１０２がオンとなったか否かを判断し、オンとなった場合はＳ２に移行する。
【００５９】
Ｓ２では、画像取得動作を行う。取得する画像は静止画でも動画でもよいが、説明の簡略のため、以下特に断らない限り、静止画が取得されるものとする。
【００６０】
Ｓ３では、無線タグ２からの無線信号を検出したか否かを判断する。無線信号を検出した場合はＳ４、検出しない場合はＳ６に移行する。
【００６１】
Ｓ４では、無線信号の受信を開始する。
【００６２】
Ｓ５では、受信した無線信号から、食品の含有データを抽出し、抽出した含有データを一旦メモリ１２８に記憶する。そして、メモリ１２８の含有データを撮影画像にオーバーレイして、画像表示装置１１０に表示する。
【００６３】
Ｓ６では、撮影画像を画像表示装置１１０に表示する。撮影画像の表示形態は任意であり、コマ送り表示やサムネイル一覧表示などが挙げられる。
【００６４】
Ｓ７では、所望の含有データの入力を操作スイッチ１０６から受け付ける。含有データの入力があった場合はＳ８に移行する。含有データの入力をしない場合はＳ１０に移行する。
【００６５】
Ｓ８では、入力された含有データを一旦メモリ１２８に記憶する。そして、メモリ１２８に記憶された含有データを単独で、あるいは撮影画像にオーバーレイして画像表示装置１１０に表示する。
【００６６】
Ｓ９では、メモリ１２８に記憶された含有データと画像データとを対応づけて記録する（図４参照）。
【００６７】
Ｓ１０では、撮影画像を記録する。
【００６８】
以上の処理により、食品の画像とその食品の含有データとを対応づけて表示できるから、ユーザがその食品を撮影するだけで、その食品の成分について詳細な情報を瞬時、容易かつ正確に得ることができる。また、食品の画像とその食品の含有データとを対応づけて記録することができるから、容易に摂取カロリーや成分を管理することが可能になる。なお、画像記録後、含有成分を見て、ユーザがその食品の摂取を取りやめた場合は、画像ファイルを消去すれば、含有データも一緒に消去され、履歴は蓄積されない。
【００６９】
図７はデジタルカメラ１０の実行する撮影準備処理の流れを示す。
【００７０】
Ｓ１１では、撮影モード設定に応じ、スルー画を画像表示装置１１０に表示する。
【００７１】
Ｓ１２では、無線タグ２からの無線信号を検出したか否かを判断する。無線信号を検出した場合はＳ１３に進む。
【００７２】
Ｓ１３では、無線信号の受信を開始し、受信情報から、食品の含有データを抽出する。
【００７３】
Ｓ１４では、抽出した含有データを一旦メモリ１２８に記憶する。そして、メモリ１２８に記憶された含有データをスルー画にオーバーレイして、画像表示装置１１０に表示する。
【００７４】
図８はデジタルカメラ１０の実行する撮影処理の流れの他の形態を示す。この処理は、上記の撮影準備処理の後に行われる。
【００７５】
Ｓ２１では、シャッタボタン１０２が全押しされたか否かを判断し、全押しされた場合はＳ２２に移行する。
【００７６】
Ｓ２２では、画像取得動作を行う。
【００７７】
Ｓ２３では、上記撮影準備処理のＳ１２で、無線タグ２からの無線信号から、食品の含有データを抽出したか否かを判断する。含有データを抽出した場合はＳ２４、検出しない場合はＳ２５に移行する。
【００７８】
Ｓ２４では、メモリ１２８の含有データを撮影画像にオーバーレイして、画像表示装置１１０に表示する。
【００７９】
Ｓ２５では、撮影画像を画像表示装置１１０に表示する。
【００８０】
Ｓ２６では、含有データの入力を操作スイッチ１０６から受け付ける。含有データの入力があった場合はＳ２７に移行する。含有データの入力をしない旨の入力があった場合はＳ２９に移行する。
【００８１】
Ｓ２７では、入力された含有データを一旦メモリ１２８に記憶する。そして、メモリ１２８に記憶された含有データを単独で、あるいは撮影画像にオーバーレイして画像表示装置１１０に表示する。
【００８２】
Ｓ２８では、メモリ１２８の含有データと画像データとを対応づけて記録する（図４参照）。
【００８３】
Ｓ２９では、撮影画像を記録する。
【００８４】
以上のように、スルー画取得の際に含有データを抽出できれば、それをスルー画にオーバーレイ表示させることができるから、ユーザがその食品を撮影するにあたり、その食品の成分について詳細な情報を瞬時、容易かつ正確に得ることができる。この成分情報を見てユーザが食品摂取をやめることを決意した場合は、食品の画像の記録を開始しなければよいので、摂取をやめた食品の画像を一旦記録したあといちいち消去するという手間をかけずに済む。
【００８５】
また、スルー画取得の際に抽出された含有データは、実際に取得された食品の画像と対応づけて記録することができるから、容易に摂取カロリーや成分を管理することが可能になる。
【００８６】
図９はデジタルカメラ１０の実行する再生処理の流れを示す。
【００８７】
Ｓ３１では、操作スイッチ１０６からの再生モード設定および所望の画像の選択指示に応じ、記録メディア４０中の画像から任意に選択された画像を表示する。
【００８８】
Ｓ３２では、含有データの表示を開始するか否かの指示を操作スイッチ１０６から受け付ける。含有データの表示を開始する指示が入力された場合はＳ３３に進む。
【００８９】
Ｓ３３では、選択された画像のヘッダ部分を参照し、選択された画像に含有データが対応づけられて記録されているか否かを判断する。含有データがある場合はＳ３４、含有データがない場合はＳ３５に移行する。
【００９０】
Ｓ３４では、選択された画像に対応づけられた含有データを読み出し、画像にオーバーレイして、画像表示装置１１０に表示する。
【００９１】
Ｓ３５では、含有データの入力を操作スイッチ１０６から受け付ける。含有データの入力があった場合はＳ３６に移行する。
【００９２】
Ｓ３６では、入力された含有データと画像データとを対応づけて記録する（図４参照）。
【００９３】
以上のように、デジタルカメラ１０のユーザは、デジタルカメラ１０で以前に撮影した各食品と対応づけられて記録された含有データを、食品の画像とともに再生閲覧することができる。また、食品の画像に対応する含有データがなくても、その含有データをユーザ自身が入力して、食品の画像に対応づけて記録することもできる。
【００９４】
ユーザは、食品の画像とともにその食品の栄養分に関する情報を閲覧することができ、過去に摂取した食品の情報を詳細・正確・簡単に想起することができる。
【００９５】
＜第２実施形態＞
図１０は第２実施形態に係るデジタルカメラ１０のブロック図である。
【００９６】
このデジタルカメラ１０は、第１実施形態と異なり、２次元コード検出回路１６１を備えている。２次元コード検出回路１６１は、食品皿の裏面あるいは食品皿を載置するトレイなどに取り付けられた１又は複数の２次元コード３に埋め込まれた含有データを検知する。
【００９７】
すなわち、図１１のように、食品を提供する食堂などにおいて、各メニューの皿にカロリーや含有成分量、アレルギー成分など、食品の栄養分に関する含有データの埋め込まれた２次元コード３を付けておく。食品の提供を受けるデジタルカメラ１０のユーザは、各食品と２次元コード３をデジタルカメラ１０で撮影して記録することができる。
【００９８】
なお、「２次元コード」の代わりに、デジタルカメラ１０で認識可能なその他の平面的な印刷パターン、例えばバーコードやＯＣＲなどを用いてもよい。
【００９９】
図１２は第２実施形態に係るデジタルカメラ１０の実行する撮影処理の流れを示す。
【０１００】
Ｓ１３１では、シャッタボタン１０２が全押しとなったか否かを判断し、全押しとなった場合はＳ１３２に移行する。
【０１０１】
Ｓ１３２では、画像取得動作を行う。
【０１０２】
Ｓ１３３では、取得した画像から２次元コードを検出したか否かを判断する。２次元コードを検出した場合はＳ１３４、検出しない場合はＳ１３５に移行する。
【０１０３】
Ｓ１３４では、２次元コードから含有データを抽出する。
【０１０４】
Ｓ１３５では、抽出した含有データを撮影画像にオーバーレイして、画像表示装置１１０に表示する。
【０１０５】
Ｓ１３６では、撮影画像を画像表示装置１１０に表示する。
【０１０６】
Ｓ１３７では、含有データの入力を操作スイッチ１０６から受け付ける。そして、含有データの入力があったか否かを判断し、含有データの入力があった場合はＳ１３８に移行する。含有データの入力がない場合はＳ１４０に移行する。
【０１０７】
Ｓ１３８では、入力された含有データを画像表示装置１１０に表示する。
【０１０８】
Ｓ１３９では、２次元コードから抽出された含有データあるいは入力された含有データと撮影画像とを対応づけて記録する（図４参照）。
【０１０９】
Ｓ１４０では、撮影画像を記録する。
【０１１０】
このように、含有データの埋め込み手段として、無線タグ２の代わりに２次元コード３その他の印刷パターンを用いても、第１実施形態と同様の効果を得ることができる。
【０１１１】
なお、図１２ではＳ２オンの撮影時に含有データを抽出する形態を説明しているが、第１実施形態と同様、スルー画取得時に２次元コード３から含有データを抽出することも可能である。
【０１１２】
＜第３実施形態＞
撮影によって画像と対応づけられて記録された含有データに基づき、所定期間ごとの摂取栄養分の統計情報を作成し、その統計情報に基づき、栄養摂取量が規定量よりも多いか少ないかをユーザに警告することもできる。
【０１１３】
図１３は含有成分量規定量警告表示処理の流れを示すフローチャートである。
【０１１４】
Ｓ５１では、第１・２実施形態で説明した通り、無線タグ２あるいは２次元コード３から含有データを抽出する。
【０１１５】
Ｓ５２では、抽出された含有データの成分項目（カロリー、ビタミン、ミネラル）に対応する規定量を、ＥＥＰＲＯＭ１４９から取得する。規定量は、厚生労働省が発表している「日本人の栄養所要量」などの一般的な基準による。ユーザごとに規定量を個別設定させるとさらによいが、この点は後述する。
【０１１６】
Ｓ５３では、抽出された含有データの成分項目ごとの含有量と、取得された成分項目ごとの規定量とを比較する。
【０１１７】
Ｓ５４では、含有量が規定量を超える成分項目が存在するか否かを判断する。含有量が規定量を超える成分項目が存在する場合はＳ５５、存在しない場合はＳ５６に進む。
【０１１８】
Ｓ５５では、含有量が規定量を超える成分項目を赤色などで強調して示すとともに、「規定量をオーバーしています」などといった警告メッセージを画像表示装置１１０に表示する。メッセージ表示の代わりに音声や振動などを発生させてもよい。
【０１１９】
Ｓ５６では、抽出された含有データを画像表示装置１１０に表示する。
【０１２０】
このように、食品の摂取に際し、当該食品の特定成分の含有量が一般的な基準値をオーバーしているか否か判断され、その判断結果に応じて警告を発するから、過剰な栄養成分の摂取を未然に防ぐことができる。
【０１２１】
＜第４実施形態＞
撮影によって画像と対応づけられて記録された含有データに基づき、所定期間（例えば一日分、一週間分、一月分）ごとの摂取栄養分の統計情報を作成し、その統計情報に基づき、栄養摂取量が規定量よりも多いか少ないかをユーザに警告することもできる。
【０１２２】
図１４は積算量警告表示処理の流れを示すフローチャートである。
【０１２３】
Ｓ６１では、積算データの表示を開始するか否かの指示を操作スイッチ１０６から受け付ける。積算データの表示を開始する指示が入力された場合はＳ６２に移行する。
【０１２４】
Ｓ６２では、記録された画像と対応づけられた含有データの全てを、記録メディア４０から取得する。
【０１２５】
Ｓ６３では、積算単位の指定を操作スイッチ１０６から受け付ける。積算単位として総期間が指定された場合はＳ６４、一日単位が指定された場合はＳ６５、一週間単位が指定された場合はＳ６６、一カ月単位が指定された場合はＳ６７に進む。
【０１２６】
Ｓ６４、Ｓ６５、Ｓ６６、Ｓ６７では、それぞれ、指定された積算単位である、現在までの総期間、当日一日、当日を含めた過去一週間に、当日を含めた過去一カ月間の期間内に記録された画像と対応づけられた含有データの成分項目ごとの総摂取量を算出する。
【０１２７】
Ｓ６８、Ｓ６９、Ｓ７０では、それぞれ、指定された積算単位に対応する各成分項目の規定量（積算規定量）を、ＥＥＰＲＯＭ１４９から取得する。そして、積算された含有データの成分項目と、取得された成分項目ごとの積算規定量とを比較する。
【０１２８】
Ｓ７１では、積算された含有データの成分項目と、取得された成分項目ごとの積算規定量とを比較した結果、積算規定量を超える成分項目が存在するか否かを判断する。積算規定量を超える成分項目が存在する場合はＳ７２、存在しない場合はＳ７３に進む。
【０１２９】
Ｓ７２では、積算規定量を超える成分項目の総摂取量とともに、「積算規定量をオーバーしています」などといった警告メッセージを画像表示装置１１０に表示する。
【０１３０】
Ｓ７３では、積算された成分項目ごとの含有データを画像表示装置１１０に表示する。
【０１３１】
Ｓ７４では、成分項目ごとの総摂取量を画像表示装置１１０に表示する。
【０１３２】
＜第５実施形態＞
成分項目ごとの規定量をユーザが設定可能にすると、個人的な体質に合わせた栄養管理が可能になり、画一的な基準を用いるよりも好ましい。
【０１３３】
図１５は規定量設定処理の流れを示す。
【０１３４】
Ｓ８１では、設定したい成分項目の選択を操作スイッチ１０６から受け付ける。
【０１３５】
Ｓ８２では、現在ＥＥＰＲＯＭ１４９に記憶されている、選択された成分項目の規定量を表示する。
【０１３６】
Ｓ８３では、設定すべき規定量の値を操作スイッチ１０６から受け付ける。規定量を受け付けた規定量は画像表示装置１１０に表示される。なお、アレルゲンのように、摂取が完全に禁止される成分（禁止成分）については、規定量を「０」と入力する。
【０１３７】
Ｓ８４では、入力した規定量を確定するか否かの指示を操作スイッチ１０６から受け付ける。規定量を確定する場合はＳ８５に進む。確定しない場合はＳ８３に戻る。
【０１３８】
Ｓ８５では、ユーザ設定を終えるか否かの指示を操作スイッチ１０６から受け付ける。ユーザ設定を終える場合はＳ８６に進む。ユーザ設定を終えない場合はＳ８１に戻る。
【０１３９】
Ｓ８６では、Ｓ８３で入力された規定量をＥＥＰＲＯＭ１４９に保存する。この規定量は、図１３の処理で用いることができる。
【０１４０】
以上の処理により、ユーザ固有の含有成分規定量を設定することができる。ユーザ固有の制限成分量や摂取を禁止するアレルギー成分を設定できるので、より有効で使いやすい食事管理をすることができる。
【０１４１】
＜第６実施形態＞
成分項目ごとの積算量に対する規定量をユーザが設定可能にするとさらによい。
【０１４２】
図１６は積算規定量設定処理の流れを示す。
【０１４３】
Ｓ９１では、設定したい成分項目の選択を操作スイッチ１０６から受け付ける。
【０１４４】
Ｓ９２では、選択した成分項目の積算単位の指定を操作スイッチ１０６から受け付ける。積算単位としては、総期間、一日、一週間、一カ月などを指定することができる。
【０１４５】
Ｓ９３では、現在ＥＥＰＲＯＭ１４９に記憶されている、選択された成分項目の、選択された積算単位の規定量（積算規定量）を表示する。
【０１４６】
Ｓ９４では、設定すべき積算規定量の値を操作スイッチ１０６から受け付ける。入力された積算規定量は画像表示装置１１０に表示される。
【０１４７】
Ｓ９５では、入力した積算規定量を確定するか否かの指示を操作スイッチ１０６から受け付ける。積算規定量を確定する場合はＳ９６に進む。確定しない場合はＳ９４に戻る。
【０１４８】
Ｓ９６では、ユーザ設定を終えるか否かの指示を操作スイッチ１０６から受け付ける。ユーザ設定を終える場合はＳ９７に進む。ユーザ設定を終えない場合はＳ９１に戻る。
【０１４９】
Ｓ９１では、Ｓ９４で入力された積算規定量をＥＥＰＲＯＭ１４９に保存する。この規定量は、図１４の処理で用いることができる。
【０１５０】
以上の処理により、含有成分の積算規定量を、所望の含有成分ごとに設定することができる。
【図面の簡単な説明】
【０１５１】
【図１】第１実施形態に係るデジタルカメラのブロック図
【図２】デジタルカメラの正面図
【図３】食品の近傍に配置された無線タグの一例を示す図
【図４】含有データと画像とが対応づけて記録メディアに記録される様子を例示する図
【図５】含有データと画像とが対応づけて画像表示装置に表示される様子を例示する図
【図６】第１実施形態に係る撮影処理の流れを示す図
【図７】撮影準備処理の流れを示す図
【図８】撮影処理の流れの他の形態を示す図
【図９】再生処理の流れを示す図
【図１０】第２実施形態に係るデジタルカメラのブロック図
【図１１】食品の近傍に配置された２次元コードの一例を示す図
【図１２】第２実施形態に係る撮影処理の流れを示す図
【図１３】含有成分量規定量警告表示処理の流れを示す図
【図１４】積算量警告表示処理の流れを示す図
【図１５】規定量設定処理の流れを示す図
【図１６】積算規定量設定処理の流れを示す図
【符号の説明】
【０１５２】
２：無線タグ、３：２次元コード、４０：記録メディア、１１２：ＣＰＵ、１７０：無線タグ送受信部、１６１：２次元コード検出回路、１４９：ＥＥＰＲＯＭ
【図１】
2008219805.tif 000003
【図２】
2008219805.tif 000004
【図３】
2008219805.tif 000005
【図４】
2008219805.tif 000006
【図５】
2008219805.tif 000007
【図６】
2008219805.tif 000008
【図７】
2008219805.tif 000009
【図８】
2008219805.tif 000010
【図９】
2008219805.tif 000011
【図１０】
2008219805.tif 000012
【図１１】
2008219805.tif 000013
【図１２】
2008219805.tif 000014
【図１３】
2008219805.tif 000015
【図１４】
2008219805.tif 000016
【図１５】
2008219805.tif 000017
【図１６】
2008219805.tif 000018